(57)【要約】【課題】本発明は、ユーザによって選択された所望の空間音響特性を瞬時に提供し得るようにする。【解決手段】本発明においてＡＶレシーバ１のホストＣＰＵ１０は、測定モード時にはＤＳＰ処理部１２に対して３１バンドＧＥＱの逆フィルタ係数の設定値Ｄ２及び６バンドＰＥＱの逆フィルタ係数の設定値Ｄ３をそれぞれ算出させてこれらをＲＡＭ１０Ｂに保存することにより、補正モード時に周波数特性をフラットに補正した音声を聴取したい場合は、３１バンドのＧＥＱ逆フィルタ特性Ｄ５を適用でき、これに対し周波数特性の補正を抑えた音声を聴取したい場合は、６バンドのＰＥＱ逆フィルタ特性Ｄ７を適用することができるので、再度、閉空間の空間音響特性を測定することなく、瞬時に逆フィルタ係数の設定値をＤＳＰ処理部に設定しフィルタリング処理を行い再生することができる。【選択図】        図１３
2007104045.tif 000002
【特許請求の範囲】
【請求項１】
所定閉空間が形成された音場の空間音響特性を測定する際、１回の音場測定により算出した周波数特性を基に、互いに特性の異なる複数の逆フィルタ係数を生成する逆フィルタ係数生成手段と、
上記複数の逆フィルタ係数を保持する逆フィルタ係数保持手段と、
上記複数の逆フィルタ係数のうち、ユーザによって選択された何れかの上記逆フィルタ係数を上記音場測定により算出した周波数特性に対する補正データとして用いる逆フィルタ係数適用手段と
を具えることを特徴とする自動音響特性補正装置。
【請求項２】
上記複数の逆フィルタ係数は、
上記周波数特性をグラフィックイコライザ特性によって補正する逆フィルタ係数と、上記周波数特性をパラメトリックイコライザ特性によって補正する逆フィルタ係数とを有する
ことを特徴とする請求項１に記載の自動音響特性補正装置。
【請求項３】
所定閉空間が形成された音場の空間音響特性を測定する際、１回の音場測定により算出した周波数特性を基に、互いに特性の異なる複数の逆フィルタ係数を生成する逆フィルタ係数生成ステップと、
上記複数の逆フィルタ係数を保持する逆フィルタ係数保持ステップと、
上記複数の逆フィルタ係数のうち、ユーザによって選択された何れかの上記逆フィルタ係数を上記音場測定により算出した周波数特性に対する補正データとして用いる逆フィルタ係数適用ステップと
を具えることを特徴とする自動音響特性補正方法。
【発明の詳細な説明】
【技術分野】
【０００１】
本発明は、自動音響特性補正装置及び自動音響特性補正方法に関し、例えば室内空間で用いられるＡＶ（Audio Visual）レシーバに適用して好適なものである。
【背景技術】
【０００２】
従来、室内空間で用いられるＡＶレシーバには、その室内空間における空間音響特性の補正方法として、ＧＥＱ（Graphical Equalizer）又はＰＥＱ（Parametric Equalizer）の何れかにより補正する機能（以下、これを補正機能と呼ぶ）が設けられたものがある。
【０００３】
またＧＥＱ及びＰＥＱの両補正機能を備えたＡＶレシーバでは、ユーザが予めＧＥＱもしくはＰＥＱのどちらか一方の補正方法を選択し、当該選択された補正方法のみの補正データを算出して適用するようになされている。
【０００４】
このような空間音響特性を補正するものとして、車室内の周波数特性を補正するためのイコライザのパラメータを自動的に設定する車室内周波数特性自動補正システムが提案されている（例えば、特許文献１参照）。
【特許文献１】特開平７−７４５６５号公報
【発明の開示】
【発明が解決しようとする課題】
【０００５】
ところでかかる構成の車室内周波数特性自動補正システムでは、その車室内の周波数特性を補正するためのイコライザのパラメータが自動的に設定されてしまうので、ユーザが希望する空間音響特性を得ることができないという問題点があった。
【０００６】
またＧＥＱ及びＰＥＱの両補正機能を備えているＡＶレシーバにおいては、ユーザが補正方法の変更を希望する場合、聴取する室内空間において空間音響特性の測定が改めて必要となり、瞬時に補正方法を変更してその結果得られる音をユーザに聴取させることができないという問題があった。
【０００７】
本発明は以上の点を考慮してなされたもので、ユーザによって選択された所望の空間音響特性を瞬時に提供し得る自動音響特性補正装置及び自動音響特性補正方法を提案しようとするものである。
【課題を解決するための手段】
【０００８】
かかる課題を解決するため本発明においては、所定閉空間が形成された音場の空間音響特性を測定する際、１回の音場測定により算出した周波数特性を基に、互いに特性の異なる複数の逆フィルタ係数を生成する逆フィルタ係数生成手段と、複数の逆フィルタ係数を保持する逆フィルタ係数保持手段と、複数の逆フィルタ係数のうち、ユーザによって選択された何れかの逆フィルタ係数を音場測定により算出した周波数特性に対する補正データとして用いる逆フィルタ係数適用手段とを備えるようにした。
【０００９】
これにより、１回の音場測定により算出した周波数特性を基に、互いに特性の異なる複数の逆フィルタ係数を生成して保存することができるので、当該周波数特性に対してユーザの希望する補正データを適用した空間音響特性を得ることができる。
【発明の効果】
【００１０】
本発明によれば、１回の音場測定により算出した周波数特性を基に、互いに特性の異なる複数の逆フィルタ係数を生成して保存することができるので、当該周波数特性に対してユーザの希望する補正データを適用した空間音響特性を得ることができ、かくしてユーザによって選択された所望の空間音響特性を瞬時に提供し得る自動音響特性補正装置及び自動音響特性補正方法を実現することができる。
【発明を実施するための最良の形態】
【００１１】
以下、図面について、本発明の一実施の形態を詳述する。
【００１２】
（１）本実施の形態によるＡＶレシーバの全体構成
（１−１）ＡＶレシーバ１の概略構成
図１に示すようにＡＶレシーバ１は、ユーザに対して音声（すなわち人の声や音楽等）を聴取させる閉空間（すなわち家庭の部屋等）に配置され、その閉空間で測定するための測定用音声をスピーカ１４を通じて出力する。そしてＡＶレシーバ１は、スピーカ１４から出力された測定用音声を、マイク１５によって集音し、当該集音した測定用音声に基づいて閉空間の空間音響特性を得るようになされている。
【００１３】
（１−２）ＡＶレシーバ１の回路構成
図２に示すようにＡＶレシーバ１は、ホストＣＰＵ（Central Processing Unit）１０によって全体を統括制御するようになされている。このホストＣＰＵ１０は、ＲＯＭ（Read Only Memory）１０Ａから基本プログラムや各種アプリケーションプログラムを読み出し、ＲＡＭ（Random Access Memory）１０Ｂに展開し実行することにより後述する空間音響特性を補正し得るようになされている。
【００１４】
ホストＣＰＵ１０は、ユーザインターフェース１１がユーザによって操作されたことを認識すると、当該操作に応じた処理を実行するようになされている。
【００１５】
ホストＣＰＵ１０は、ユーザインターフェース１１の例えば測定ボタンが押下操作されたことを認識すると、ＲＯＭ１０Ａから各種アプリケーションプログラムのうちの１つである空間音響特性補正プログラムを読み出し、測定処理（以下、これを測定モードと呼ぶ）を実行するようになされている。
【００１６】
ＤＳＰ（Digital Signal Processor）処理部１２は、空間音響特性補正プログラムに基づいて閉空間における空間音響特性の測定を行うためのＴＳＰ（Time Stretched Pulse）信号Ｓ１を生成し、これをデジタルアンプ１３へ供給するようになされている。
【００１７】
ここでＴＳＰ信号Ｓ１とは、インパルス応答を測定するための信号であり、正弦波の周波数を短時間に高周波から低周波まで引き伸ばして連続的にスイープした信号である。
【００１８】
また、インパルス応答を測定するためには、多くのインパルス信号を所謂同期加算していく方法もあるが、ＴＳＰ信号Ｓ１は、エネルギーを時間軸上に分散した連続的な信号であるためランダムノイズの影響を受けにくくなり、このＴＳＰ信号Ｓ１を用いた場合、ＤＳＰ処理部１２では、少ない同期加算で高いＳ／Ｎ比を得ることができる。
【００１９】
デジタルアンプ１３は、ＴＳＰ信号Ｓ１を増幅してＴＳＰ増幅信号Ｓ２を生成し、これを閉空間に備えられているスピーカ１４を介して、ＴＳＰ増幅信号Ｓ２に応じた測定用音声を閉空間に出力するようになされている。
【００２０】
マイク１５は、閉空間において測定用音声を集音し、これをＴＳＰ測定信号Ｓ３としてマイクアンプ１６へ供給するようになされている。
【００２１】
マイクアンプ１６は、ＴＳＰ測定信号Ｓ３を増幅してＴＳＰ測定信号Ｓ４を生成し、これをＡ／Ｄ（Analog to Digital）変換回路１７へ供給するようになされている。
【００２２】
Ａ／Ｄ変換回路１７は、ＴＳＰ測定信号Ｓ４をアナログ／デジタル変換することによりＴＳＰ応答データＤ１（図３）を生成し、これをＤＳＰ処理部１２へ供給するようになされている。
【００２３】
これによりＤＳＰ処理部１２は、閉空間における空間音響特性の測定結果を取得することができ、このＴＳＰ応答データＤ１（図３）を基に、３１バンドＧＥＱと６バンドＰＥＱのバンド数に応じて周波数特性をフラットに近づける逆フィルタ係数をそれぞれ算出するようになされている。
【００２４】
ここでＧＥＱ（すなわちGraphical Equalizer）とは、「グラフィックイコライザ」の略称であり、いくつかの周波数帯域ごとにつまみなどによってアンプのゲインを増減して音質をコントロールすることができる補正機能をいう。またグラフィックイコライザでは、イコライザの中心周波数と後述する周波数帯域幅は固定されている。
【００２５】
ちなみに３１バンドＧＥＱとは、人間の可聴領域（２０［Ｈｚ］〜２０［ＫHｚ］）を、１／３オクターブ刻みで周波数を３１バンドに細分化して設定されたものである。
【００２６】
一方、ＰＥＱ（すなわちParametric Equalizer）とは、「パラメトリックイコライザ」の略称であり、周波数帯域を数分割して帯域ごとにつまみなどによってアンプのゲインを増減して音質をコントロールすることができる補正機能をいう。またパラメトリックイコライザでは、周波数帯域の中心周波数や後述する周波数帯域幅を、独立して変更が可能となっている。
【００２７】
ちなみに６バンドＰＥＱとは、人間の可聴領域（２０［Ｈｚ］〜２０［ＫHｚ］）においてゲイン値の大きい６箇所の周波数について、その周波数特性を補正するように設定されたものである。
【００２８】
また逆フィルタ係数とは、閉空間の測定結果により得られた周波数特性において、音のレベルが落ち込んでいるようなところがあるときには、その音のレベルを持ち上げ、これに対して音のレベルが持ち上がっているようなところがあるときには、逆にその音のレベルを下げるようなフィルタ係数をいい、フィルタ係数の設定値（ゲイン値、中心周波数、Ｑ値）により表される。
【００２９】
また図４において、ゲインの先鋭する先頭の値から３［ｄB］下がった中心周波数ω０と帯域幅Δωとの比から、次式
【００３０】
【数１】
2007104045.tif 000003
【００３１】
に従って周波数帯域幅（すなわちQ値）を決定する。
【００３２】
ここで、ゲインがマイナスの場合には、ゲインの先鋭する先頭の値から３［ｄB］上がった中心周波数ω０と帯域幅Δωとの比から決定する。
【００３３】
なお、音のレベルが３［ｄB］に満たない場合は、音のレベルを先鋭する無限大方向に引き上げて、先頭の値から３［ｄB］を確保し、中心周波数ω０と帯域幅Δωを計算して周波数帯域幅を決定する。
【００３４】
このようにＤＳＰ処理部１２（図２）では、３１バンドＧＥＱの逆フィルタ係数の設定値Ｄ２と６バンドＰＥＱの逆フィルタ係数の設定値Ｄ３とを、それぞれ算出するようになされている。
【００３５】
図５には、ＤＳＰ処理部１２（図２）にて算出された３１バンドＧＥＱの各バンドの逆フィルタ係数の設定値Ｄ２を示し、フィルタリング処理を行う際、ホストＣＰＵ１０は当該設定値Ｄ２をＤＳＰ処理部１２に対して設定する。なお図６には、３１バンドＧＥＱの各バンドにおける逆フィルタ係数の特性Ｄ４をそれぞれ示している。
【００３６】
これにより図６の３１バンドＧＥＱの各バンドにおける逆フィルタ係数の特性Ｄ４は、その総合特性として、図７に示すような３１バンドＧＥＱの逆フィルタ特性（以下、これをＧＥＱ逆フィルタ特性と呼ぶ）Ｄ５となる。ＤＳＰ処理部１２は、閉空間で測定されたＴＳＰ応答データＤ１（図３）に対して、このＧＥＱ逆フィルタ特性Ｄ５を適用することにより、当該ＴＳＰ応答データＤ１（図３）の周波数特性を全体的に補正することができるので、図８に示すようにフラットな空間音響特性を得ることができる。
【００３７】
またＤＳＰ処理部１２（図２）は、ＡＶレシーバ１に設けられたスピーカの数（例えば７．１チャンネルであれば７個のスピーカ）に応じて、３１バンドＧＥＱの逆フィルタ係数の設定値Ｄ２及び６バンドＰＥＱの逆フィルタ係数の設定値Ｄ３をそれぞれ算出し、これらをホストＣＰＵ１０を介してＲＡＭ１０Ｂにそれぞれ保存するようになされている。
【００３８】
ここで図９には、ＤＳＰ処理部１２（図２）にて算出された６バンドＰＥＱの各バンドの逆フィルタ係数の設定値Ｄ３を示し、フィルタリング処理を行う際、ホストＣＰＵ１０は当該設定値Ｄ３をＤＳＰ処理部１２に対して設定する。なお図１０には、６バンドＰＥＱの各バンドにおける逆フィルタ係数の特性Ｄ６を、それぞれ示している。
【００３９】
これにより図１０の６バンドＰＥＱの各バンドにおけるフィルタ係数の特性Ｄ６は、その総合特性として、図１１に示すような６バンドＰＥＱの逆フィルタ特性（以下、これをＰＥＱ逆フィルタ特性と呼ぶ）Ｄ７となる。ＤＳＰ処理部１２は、閉空間で測定されたＴＳＰ応答データＤ１（図３）に対して、このＰＥＱ逆フィルタ特性Ｄ７を適用した場合、当該ＴＳＰ応答データＤ１（図３）の周波数特性を部分的に補正することしかできないので、図１２に示すように完全にフラットではない空間音響特性となってしまう。
【００４０】
一方、ホストＣＰＵ１０は、測定モードにおいて３１バンドＧＥＱの逆フィルタ係数の設定値Ｄ２（図５）及び６バンドＰＥＱの逆フィルタ係数の設定値Ｄ３（図９）の保存が終了したことを認識すると、この空間音響特性補正プログラムに基づく補正処理（以下、これを補正モードと呼ぶ）を実行するようになされている。
【００４１】
ホストＣＰＵ１０は、空間音響特性補正プログラムに基づき、ユーザインターフェース１１により設定されたユーザの希望する補正方法（３１バンドＧＥＱ又は６バンドＰＥＱの何れか）に応じて、３１バンドＧＥＱの逆フィルタ係数の設定値Ｄ２又は６バンドＰＥＱの逆フィルタ係数の設定値Ｄ３を補正データとしてＲＡＭ１０Ｂから取得し、ＤＳＰ処理部１２に対して転送するようになされている。
【００４２】
このときＤＳＰ処理部１２は、３１バンドＧＥＱの逆フィルタ係数の設定値Ｄ２又は６バンドＰＥＱの逆フィルタ係数の設定値Ｄ３を取得すると、図示しないＩＩＲフィルタ（Infinite Impulse Response Filter）に対して、当該ＧＥＱの逆フィルタ係数の設定値Ｄ２又は当該ＰＥＱの逆フィルタ係数の設定値Ｄ３を設定し、ＧＥＱ逆フィルタ特性Ｄ５（図７）又はＰＥＱ逆フィルタ特性Ｄ７（図１１）を最終的に得るようになされている。
【００４３】
次にデジタルインターフェースレシーバ１９は、外部に設けられたプレイヤ１８によって再生される音声信号Ｓ１０を、取得するようになされている。
【００４４】
ここでデジタルインターフェースレシーバ１９は、音声信号Ｓ１０に対して、Ａ／Ｄ変換処理を施すことによりデジタルデータＤ１１を生成し、当該デジタルデータＤ１１のタイミングを調整した後、これをＤＳＰ処理部１２へ供給するようになされている。
【００４５】
ＤＳＰ処理部１２は、デジタルデータＤ１１に対して、３１バンドのＧＥＱ逆フィルタ特性Ｄ５（図７）又は６バンドのＰＥＱ逆フィルタ特性Ｄ７（図１１）によるＩＩＲフィルタを用いてフィルタリング処理を行うことにより、デジタルデータＤ１２を生成し、これをデジタルアンプ１３へ供給するようになされている。
【００４６】
デジタルアンプ１３は、デジタルデータＤ１２を所定のレベルまで増幅し、Ｄ／Ａ（Digital to Analog）変換処理を施すことにより音声信号Ｓ１３を生成し、これを閉空間に備えられているスピーカ１４を介して、音声信号Ｓ１３に応じた音声を閉空間に出力するようになされている。
【００４７】
このようにＡＶレシーバ１は、補正モード時においてユーザの希望する補正方法（３１バンドＧＥＱ又は６バンドＰＥＱの何れか）に応じて、デジタルデータＤ１１に対してフィルタリング処理を行い再生することができるようになされている。
【００４８】
さらにこのＡＶレシーバ１は、ユーザによるユーザインターフェース１１の操作により、いつでも設定された補正方法（３１バンドＧＥＱ又は６バンドＰＥＱ）を変更できるようになされている。
【００４９】
具体的には、３１バンドのＧＥＱ逆フィルタ特性Ｄ５（図７）が選択されている場合に、ＡＶレシーバ１はユーザによってユーザインターフェース１１が変更されることにより、ＤＳＰ処理部１２の逆フィルタ係数の設定値を、３１バンドＧＥＱの逆フィルタ係数の設定値Ｄ２（図５）から６バンドＰＥＱの逆フィルタ係数の設定値Ｄ３（図９）に変更でき、６バンドのＰＥＱ逆フィルタ特性Ｄ７（図１１）を得ることができる。
【００５０】
また、６バンドのＰＥＱ逆フィルタ特性Ｄ７（図１１）が選択されている場合に、ＡＶレシーバ１はユーザによってユーザインターフェース１１が変更されることにより、ＤＳＰ処理部１２の逆フィルタ係数の設定値を、６バンドＰＥＱの逆フィルタ係数の設定値Ｄ３（図９）から３１バンドＧＥＱの逆フィルタ係数の設定値Ｄ２（図５）に変更でき、３１バンドのＧＥＱ逆フィルタ特性Ｄ５（図７）を得ることができる。
【００５１】
このようにＡＶレシーバ１は、ユーザにより補正方法（３１バンドＧＥＱ又は６バンドＰＥＱ）が変更された場合には、ＲＡＭ１０Ｂに保存されている逆フィルタ係数の設定値を、ホストＣＰＵ１０を介してＤＳＰ処理部１２へ転送することにより、再度、閉空間を測定することなく、デジタルインターフェース１９から供給されるデジタルデータＤ１１に対して、変更された逆フィルタ係数の設定値を瞬時に設定してフィルタリング処理を行い再生することができる。
【００５２】
（２）補正方法選択処理手順
次にＡＶレシーバ１において、補正方法選択処理手順について図１３のフローチャートを用いて説明する。
【００５３】
ホストＣＰＵ１０は、ユーザの操作によりユーザインターフェース１１から閉空間を測定する命令を受けると、補正方法選択処理手順ＲＴ１を開始してステップＳＰ１へ移る。
【００５４】
ステップＳＰ１においてホストＣＰＵ１０は、ＲＯＭ１０Ａから空間音響特性補正プログラムを起動し、ユーザに聴取させる閉空間において空間音響特性が測定可能な測定モードとなり、ステップＳＰ２へ移る。
【００５５】
ステップＳＰ２においてホストＣＰＵ１０は、ユーザによってＧＥＱの逆フィルタ係数の設定値Ｄ２及びＰＥＱの逆フィルタ係数の設定値Ｄ３のそれぞれのバンド数の設定を待ち受けると共に、補正モード時にＤＳＰ処理部１２に対して設定する補正方法（ＧＥＱ又はＰＥＱの何れか）を待ち受け、これらが決定されると、ステップＳＰ３へ移る。
【００５６】
ここで、例えば３１バンドＧＥＱの逆フィルタ係数の設定値Ｄ２及び６バンドＰＥＱの逆フィルタ係数の設定値Ｄ３とが設定され、補正モード時には３１バンドのＧＥＱ逆フィルタ特性Ｄ５（図７）を適用して周波数特性を全体的に補正するように決定する。
【００５７】
ステップＳＰ３においてホストＣＰＵ１０は、ＤＳＰ処理部１２からＴＳＰ信号Ｓ１を出力し、デジタルアンプ１３を通じてスピーカ１４から出力される測定用音声を、マイク１５を介して取得することにより、音場測定を行うようになされている。
【００５８】
実際上、この音場測定は、マイク１５により集音された測定用音声に対し、マイクアンプ１６を介してＡ／Ｄ変換回路１７においてアナログ／デジタル変換されてＴＳＰ応答データＤ１（図３）が生成され、これをＤＳＰ処理部１２へ供給することによって行われる。
【００５９】
このときＤＳＰ処理部１２（図２）は、ＴＳＰ応答データＤ１（図３）を基に、３１バンドＧＥＱの逆フィルタ係数の設定値Ｄ２と６バンドＰＥＱの逆フィルタ係数の設定値Ｄ３のバンド数に応じて周波数特性をフラットに近づける逆フィルタ係数の設定値をそれぞれ算出し、ステップＳＰ４へ移る。
【００６０】
ステップＳＰ４においてホストＣＰＵ１０は、ＤＳＰ処理部１２から３１バンドＧＥＱの逆フィルタ係数の設定値Ｄ２（図５）及び６バンドＰＥＱの逆フィルタ係数の設定値Ｄ３（図９）を補正データとして取得すると、それぞれＲＡＭ１０Ｂに保存してステップＳＰ５へ移る。
【００６１】
ステップＳＰ５においてホストＣＰＵ１０は、空間音響特性補正プログラムに基づき、補正モードを実行するようになされており、ステップＳＰ６へ移る。
【００６２】
ステップＳＰ６においてホストＣＰＵ１０は、ユーザによって設定されたユーザインターフェース１１に応じて、３１バンドＧＥＱの逆フィルタ係数の設定値Ｄ２（図５）又は６バンドＰＥＱの逆フィルタ係数の設定値Ｄ３（図９）を、ＲＡＭ１０ＢからＤＳＰ処理部１２へ転送する。
【００６３】
ここでホストＣＰＵ１０は、３１バンドのＧＥＱ逆フィルタ特性Ｄ５（図７）が選択されているため、ＤＳＰ処理部１２に対して３１バンドＧＥＱの逆フィルタ係数の設定値Ｄ２（図５）が設定され、ステップＳＰ７へ移る。
【００６４】
ステップＳＰ７においてホストＣＰＵ１０は、デジタルインターフェースレシーバ１９からＤＳＰ処理部１２に入力されたデジタルデータＤ１１に対して、３１バンドのＧＥＱ逆フィルタ特性Ｄ５となるＩＩＲフィルタを用いてフィルタリング処理を行うと共に、デジタルアンプ１３でＤ／Ａ変換処理を施すことにより音声信号Ｓ１３を生成し、これを閉空間に備えられているスピーカ１４を介して、音声信号Ｓ１３に応じた音声を閉空間でユーザに聴取させるようになされている。
【００６５】
またホストＣＰＵ１０は、ＤＳＰ処理部１２においてフィルタリング処理を行い再生している場合でも、ユーザインターフェース１１を切り替えることにより、ＤＳＰ処理部１２において３１バンドＧＥＱの逆フィルタ係数の設定値Ｄ２から、６バンドＰＥＱの逆フィルタ係数の設定値Ｄ３へ変更することができるので、ＡＶレシーバ１は瞬時に６バンドのＰＥＱ逆フィルタ特性Ｄ７（図１１）を得ることできる。
【００６６】
このようにＡＶレシーバ１は、閉空間で補正方法が設定されている場合でも、ＲＡＭ１０Ｂに３１バンドＧＥＱの逆フィルタ係数の設定値Ｄ２及び６バンドＰＥＱの逆フィルタ係数の設定値Ｄ３を保持することにより、ユーザの希望する補正方法（３１バンドＧＥＱ又は６バンドＰＥＱ）の設定値に変更することができるので、ユーザの好みに応じて瞬時に３１バンドのＧＥＱ逆フィルタ特性Ｄ５（図７）又は６バンドのＰＥＱ逆フィルタ特性Ｄ７（図１１）を得て、フィルタリング処理を行い再生することができる。
【００６７】
（３）動作及び効果
以上の構成においてホストＣＰＵ１０は、空間音響特性補正プログラムに基づいて、ＤＳＰ処理部１２に閉空間を測定するＴＳＰ信号Ｓ１を生成させ、当該閉空間において測定されたＴＳＰ応答データＤ１（図３）を生成させる。
【００６８】
またホストＣＰＵ１０は、測定されたＴＳＰ応答データＤ１（図３）を基に、ＤＳＰ処理部１２に対して３１バンドＧＥＱの逆フィルタ係数の設定値Ｄ２（図５）及び６バンドＰＥＱの逆フィルタ係数の設定値Ｄ３（図９）を共に算出させ、それぞれＲＡＭ１０Ｂに保存する。
【００６９】
そしてホストＣＰＵ１０は、逆フィルタ係数の設定値がＲＡＭ１０Ｂにそれぞれ保存されたことを認識すると、ユーザによって決定された逆フィルタ係数の設定値をＤＳＰ処理部１２に設定し、デジタルインターフェース１９を介して入力されるデジタルデータＤ１１に対して、ユーザの希望する逆フィルタ係数が設定されたＩＩＲフィルタを用いてフィルタリング処理を行い再生させる。
【００７０】
このときユーザは、ユーザの希望する補正方法（３１バンドＧＥＱ又は６バンドＰＥＱの何れか）を適用した音声信号Ｓ１３に応じた音声を聴取できると共に、他の補正方法を適用して聴取したい場合にも、ユーザインターフェース１１を切り替えることにより、ＲＡＭ１０ＢからホストＣＰＵ１０を介してＤＳＰ処理部１２に対して、瞬時に逆フィルタ係数の設定値を変更することができる。
【００７１】
これによりユーザは、ＤＳＰ処理部１２において３１バンドＧＥＱの逆フィルタ係数の設定値Ｄ２が設定されている場合には、３１バンドのＧＥＱ逆フィルタ特性Ｄ５（図７）を得ることができ周波数特性を全体的に補正することができるので、フラットな空間音響特性を得ることができる。
【００７２】
これに対してＤＳＰ処理部１２において６バンドＰＥＱの逆フィルタ係数の設定値Ｄ３が設定されている場合には、６バンドのＰＥＱ逆フィルタ特性Ｄ７（図１１）を得ることができ周波数特性を部分的に補正することしかできないので、完全にフラットではない空間音響特性となってしまう。
【００７３】
しかしながらユーザは、３１バンドのＧＥＱ逆フィルタ特性Ｄ５よりも周波数特性の補正の抑えた音声を聴取することができる。
【００７４】
以上の構成によれば、ホストＣＰＵ１０は、測定モード時にはＤＳＰ処理部１２に対して３１バンドＧＥＱの逆フィルタ係数の設定値Ｄ２及び６バンドＰＥＱの逆フィルタ係数の設定値Ｄ３をそれぞれ算出させてこれらをＲＡＭ１０Ｂに保存することにより、補正モード時に周波数特性をフラットに補正した音声を聴取したい場合は、３１バンドのＧＥＱ逆フィルタ特性Ｄ５を適用でき、これに対し周波数特性の補正を抑えた音声を聴取したい場合は、６バンドのＰＥＱ逆フィルタ特性Ｄ７を適用することができるので、再度、閉空間の空間音響特性を測定することなく、瞬時に逆フィルタ係数の設定値をＤＳＰ処理部に設定しフィルタリング処理を行い再生することができる。
【００７５】
（４）他の実施の形態
なお上述の実施の形態においては、６バンドＰＥＱの逆フィルタ係数の設定値Ｄ３が、図９に示したように、ゲイン値の大きい６箇所の周波数について、その周波数特性を補正するようにした場合について述べたが、本発明はこれに限らず、例えばＰＥＱの逆フィルタ係数の設定値Ｄ３が可聴領域を任意の６箇所の周波数に分けて逆フィルタ係数の設定値Ｄ３を算出しても良く、またある一部の周波数の領域における任意の６箇所において、逆フィルタ係数の設定値Ｄ３を算出するようにしても良い。
【００７６】
また上述の実施の形態においては、ＧＥＱの逆フィルタ係数の設定値Ｄ２が３１バンドでなり、ＰＥＱの逆フィルタ係数の設定値Ｄ３が６バンドでなる構成で使用するようにした場合について述べたが、本発明はこれに限らず、例えばＧＥＱの逆フィルタ係数の設定値Ｄ２が３０バンドでなり、ＰＥＱの逆フィルタ係数の設定値Ｄ３が３バンドで構成されても良く、また自動音響特性補正装置により設定し得るバンド数を組み合わせて使用するようにしても良い。
【００７７】
また上述の実施の形態においては、ＤＳＰ処理部１２においてＩＩＲフィルタを使用するようにした場合について述べたが、本発明はこれに限らず、例えばＦＩＲフィルタ（Finite impulse response filter）を使用しても良く、またこれらを組み合わせて使用するようにしても良い。
【００７８】
また上述の実施の形態においては、ＡＶレシーバ１が閉空間として家庭の部屋で使用した場合について述べたが、本発明はこれに限らず、例えば閉空間が自動車の車内、映画館、劇場又はヒアリングルームで使用するようにしても良い。
【００７９】
また上述の実施の形態においては、ＡＶレシーバ１が音声として人の声や音楽で使用した場合について述べたが、本発明はこれに限らず、例えば音声が、効果音、雨音や虫の鳴き声などの自然環境によって生じる音、又は雑音といった人間が聴取できる音を対象として使用するようにしても良い。
【００８０】
さらに上述した実施の形態においては、ホストＣＰＵ１０がＲＯＭ１０Ａに格納した空間音響特性補正プログラムを実行するようにした場合について述べたが、本発明はこれに限らず、例えば種々のプログラムをＣＤ−ＲＯＭ（Compact Disc-Read Only Memory）メディアやメモリースティック（ソニー株式会社の登録商標）等の交換可能な記憶媒体に格納しておき、ＣＤ−ＲＯＭドライブ（図示せず）やメモリースティックスロット（図示せず）を介して種々のプログラムを読み出して実行するようにしたり、或いは通信インターフェース（図示せず）を介して外部のサーバ装置（図示せず）等から種々のプログラムを取得するようにしても良い。この場合、圧縮されたデータを伸張したり、或いはインストールプログラムを実行することにより種々のプログラムを復元するようにしても良い。
【００８１】
さらに上述した実施の形態においては、逆フィルタ係数生成手段及び逆フィルタ係数適用手段としてのＤＳＰ処理部１２と、逆フィルタ係数保存手段としてのＲＡＭ１０Ｂとによって自動音響特性補正装置を構成するようにした場合について述べたが、本発明はこれに限らず、その他種々の回路構成でなる逆フィルタ係数生成手段と、逆フィルタ係数保持手段と、逆フィルタ係数適用手段とによって自動音響特性補正装置を構成するようにしても良い。
【産業上の利用可能性】
【００８２】
本発明は、空間音響特性を測定して逆フィルタ係数を算出し、その逆フィルタ係数の設定値を補正データとして適用する種々の自動音響特性補正装置に適用することができる。
【図面の簡単な説明】
【００８３】
【図１】ＡＶレシーバの概略構成の説明に供する略線図である。
【図２】ＡＶレシーバの全体構成を示すブロック図である。
【図３】ＴＳＰ応答データを表す略線図である。
【図４】周波数帯域幅を説明に供する略線図である。
【図５】３１バンドＧＥＱの各バンドにおける逆フィルタの設定値を表す略線図である。
【図６】３１バンドＧＥＱの各バンドにおける逆フィルタ係数の特性を表す略線図である。
【図７】３１バンドＧＥＱの逆フィルタ特性を表す略線図である。
【図８】３１バンドＧＥＱによる補正後の空間音響特性を表す略線図である。
【図９】６バンドＰＥＱの各バンドにおける逆フィルタの設定値を表す略線図である。
【図１０】６バンドＰＥＱの各バンドにおける逆フィルタ係数の特性を表す略線図である。
【図１１】６バンドＰＥＱの逆フィルタ特性を表す略線図である。
【図１２】６バンドＰＥＱによる補正後の空間音響特性を表す略線図である。
【図１３】補正方法選択手順を表すフローチャートである。
【符号の説明】
【００８４】
１……ＡＶレシーバ、２……閉空間、１０……ホストＣＰＵ、１０Ａ……ＲＯＭ、１０Ｂ……ＲＡＭ、１１……ユーザインターフェース、１２……ＤＳＰ処理部、１３……デジタルアンプ、１４……スピーカ、１５……マイク、１６……マイクアンプ、１７……Ａ／Ｄ変換回路、１８……プレイヤ、１９……デジタルインターフェースレシーバ。
【図１】
2007104045.tif 000004
【図２】
2007104045.tif 000005
【図３】
2007104045.tif 000006
【図４】
2007104045.tif 000007
【図５】
2007104045.tif 000008
【図６】
2007104045.tif 000009
【図７】
2007104045.tif 000010
【図８】
2007104045.tif 000011
【図９】
2007104045.tif 000012
【図１０】
2007104045.tif 000013
【図１１】
2007104045.tif 000014
【図１２】
2007104045.tif 000015
【図１３】
2007104045.tif 000016